(57)【特許請求の範囲】
【請求項１】
デジタル放送の番組と、該番組において提供される情報の種類と、を予め設定する手段と、
設定された前記番組を受信し、前記種類に係る情報を抽出する手段と、
抽出された前記情報を印刷するための印刷処理を実行する印刷処理手段と、
を備え、
更に、抽出された前記情報が、その印刷が許可されていない部分を含むか否かを判定する判定手段を備え、
前記印刷処理手段は、抽出された前記情報がその印刷が許可されていない部分を含む場合、印刷が許可されている部分のみについて印刷処理を実行することを特徴とするデジタル放送の受信装置。
【請求項２】
更に、抽出された前記情報がその印刷が許可されていない部分を含む場合、当該印刷が許可されていない部分を保存する手段を備えたことを特徴とする請求項１に記載のデジタル放送の受信装置。
【請求項３】
前記番組において提供される情報のデータは、その印刷が許可されている部分と許可されていない部分とにより、ブロック分けされており、かつ、各ブロックには印刷許否の情報が含まれ、
前記判定手段は、前記印刷許否の情報に基づき、印刷が許可されていない部分を含むか否かを判定することを特徴とする請求項１に記載のデジタル放送の受信装置。
【請求項４】
前記印刷処理手段は、プリンタを含むことを特徴とする請求項１に記載のデジタル放送の受信装置。
【請求項５】
前記受信装置は、プリンタが接続可能な受信装置であり、
前記印刷処理は、前記プリンタへの印刷データの出力を含むことを特徴とする請求項１に記載のデジタル放送の受信装置。
【請求項６】
デジタル放送の番組と、該番組において提供される情報の種類と、を予め設定する工程と、
設定された前記番組を受信し、前記種類に係る情報を抽出する工程と、
抽出された前記情報を印刷するための印刷処理を実行する印刷処理工程と、
を含み、
更に、抽出された前記情報が、その印刷が許可されていない部分を含むか否かを判定する判定工程を含み、
前記印刷処理工程では、抽出された前記情報がその印刷が許可されていない部分を含む場合、印刷が許可されている部分のみについて印刷処理を実行することを特徴とするデジタル放送の受信方法。
【請求項７】
デジタル放送を受信するためのコンピュータプログラムを記録した記録媒体であって、前記コンピュータプログラムが、
デジタル放送の番組と、該番組において提供される情報の種類と、を予め設定する工程のコードと、
設定された前記番組を受信し、前記種類に係る情報を抽出する工程のコードと、
抽出された前記情報を印刷するための印刷処理を実行する印刷処理工程のコードと、
を含み、
更に、抽出された前記情報が、その印刷が許可されていない部分を含むか否かを判定する判定工程のコードを含み、
前記印刷処理工程では、抽出された前記情報がその印刷が許可されていない部分を含む場合、印刷が許可されている部分のみについて印刷処理を実行することを特徴とする記録媒体。
【発明の詳細な説明】
【０００１】
【発明の属する技術分野】
本発明は、デジタル放送に関し、特に、デジタル放送により提供される情報の印刷に関する。
【０００２】
【従来の技術】
デジタル放送では、いわゆるデータ放送により、映像の他、種々の情報が提供されている。そして、ユーザは、デジタル放送の受信装置において、ディスプレイに表示されたそれらの情報を印刷する際、表示された画面を見ながら、リモコン等を用いて情報を特定し、その印刷を行うことができる。
【０００３】
例えば、放送される番組の内容が料理番組であり、図３に示すような料理の作成手順が動画で放送され、また、データ放送ではレシピが放送されている場合、操作者は、図４に示すようなデータ放送画面を呼び出すことができる。
【０００４】
そして、そこに表示されるレシピ４Ａを選択すると、図５のようにレシピが表示される。この画面で、印刷ボタン５Ａを選択すると、表示されたレシピが印刷されることになる。
【０００５】
【発明が解決しようとする課題】
しかしながら、このようなＧＵＩは操作性がよいが、放送時にこれらの操作を行わなければならず、その時間帯に外出している場合等には、情報の印刷ができなくなる。
【０００６】
また、毎週放送されるような番組の情報を印刷する場合には、毎回これらの操作を行わなければならず、煩雑である。
【０００７】
従って、本発明の主たる目的は、デジタル放送の番組において提供される情報の印刷を、その放送時に直接指示しなくとも行い得るデジタル放送の受信装置及び受信方法、記録媒体を提供することにある。
【０００８】
【課題を解決するための手段】
本発明によれば、デジタル放送の番組と、該番組において提供される情報の種類と、を予め設定する手段と、設定された前記番組を受信し、前記種類に係る情報を抽出する手段と、抽出された前記情報を印刷するための印刷処理を実行する印刷処理手段と、を備え、更に、抽出された前記情報が、その印刷が許可されていない部分を含むか否かを判定する判定手段を備え、前記印刷処理手段は、抽出された前記情報がその印刷が許可されていない部分を含む場合、印刷が許可されている部分のみについて印刷処理を実行することを特徴とするデジタル放送の受信装置が提供される。
【００１６】
また、本発明によれば、デジタル放送の番組と、該番組において提供される情報の種類と、を予め設定する工程と、設定された前記番組を受信し、前記種類に係る情報を抽出する工程と、抽出された前記情報を印刷するための印刷処理を実行する印刷処理工程と、を含み、更に、抽出された前記情報が、その印刷が許可されていない部分を含むか否かを判定する判定工程を含み、前記印刷処理工程では、抽出された前記情報がその印刷が許可されていない部分を含む場合、印刷が許可されている部分のみについて印刷処理を実行することを特徴とするデジタル放送の受信方法が提供される。
【００１８】
また、本発明によれば、デジタル放送を受信するためのコンピュータプログラムを記録した記録媒体であって、前記コンピュータプログラムが、デジタル放送の番組と、該番組において提供される情報の種類と、を予め設定する工程のコードと、設定された前記番組を受信し、前記種類に係る情報を抽出する工程のコードと、抽出された前記情報を印刷するための印刷処理を実行する印刷処理工程のコードと、を含み、更に、抽出された前記情報が、その印刷が許可されていない部分を含むか否かを判定する判定工程のコードを含み、前記印刷処理工程では、抽出された前記情報がその印刷が許可されていない部分を含む場合、印刷が許可されている部分のみについて印刷処理を実行することを特徴とする記録媒体が提供される。
【００２９】
【発明の実施の形態】
以下、本発明の好適な実施の形態について図面を参照して説明する。
【００３０】
図１は、本発明の一実施形態に係るデジタル放送の受信装置Ａのブロック図である。
【００３１】
受信装置Ａは、装置の制御をつかさどるＣＰＵ１Ａと、デジタル放送のうち、特にデータ放送を受信し、データの変換を行う受信部１Ｂと、データ放送からの情報を蓄えたり、その表示・印刷に必要なバッファなどを含むメモリ１Ｃと、得られた情報の内容等を表示する表示部１Ｄと、得られた情報を印刷する印刷部１Ｅと、操作者の指示を入力するための、リモコン等の入力部１Ｆと、を備える。なお、印刷部１Ｅとしては、プリンタを挙げることができるが、これは図のように受信装置Ａに内蔵されたものであってもよいし、外付けのものであってもよい。
【００３２】
次に、印刷予約の設定処理について説明する。
【００３３】
受信装置Ａでは、入力部１Ｆを用いて、所望の番組の情報の印刷予約を行うが、特に、番組の録画予約と同時に行うことができる。図７は、番組予約画面の表示例を示した図であり、「今日のお料理」という番組に対する設定の画面である。この画面は、録画予約しようとしている番組において提供うされる情報を保存・印刷予約するかを設定するための画面である。
【００３４】
図７において、ボタン７Ａは、番組録画をしたか否かを設定するボタンである。図７においては、番組録画もされているので、ボタン７Ａが反転表示されている。また、ボタン列７Ｂは、その番組において提供される情報を電子データとして保存するか否かを設定するボタンであり、各情報毎に設けられている。
【００３５】
ボタン列７Ｄは、その番組において提供される情報を印刷するか否かを設定するボタンであり、これも各情報毎に設けられている。
【００３６】
予約の操作は、入力部１Ｆを操作し、目的とする情報等のボタンにカーソルを移動させて、選択することで選択処理を行う。選択された時に、表示が反転していなければ、反転して予約状態にし、選択された時に、反転していれば反転を戻し、予約解除する。
【００３７】
例えば、「レシピ」という情報の印刷の予約をするためには、入力部１Ｆを操作して、ボタン列７Ｃの中のボタン７Ｄにカーソルを移動させ、選択処理を行い、表示を反転させることで行うことでなされる。
【００３８】
そして、予約設定が終了したなら、設定終了ボタン７Ｅにカーソルを移動させ選択して、印刷予約の設定処理を終了する。
【００３９】
この印刷予約の設定処理により、印刷の対象となる番組と、そこで提供される情報の種類と、が設定され、メモリ１Ｂに保存されることとなる。
【００４０】
また、予約された番組の放送時間になると、受信装置Ａは、放送を自動的に受信することとなる。
【００４１】
なお、このような予約をするための番組表は、デジタル放送の放送局から電子データとして定期的に取り寄せることができ、メモリ１Ｂ内に保存することができる。
【００４２】
次に、図２は、データ放送において送信されるデータのデータ形式を示した図である。図２に示すように、データ放送において提供される各々の情報（２）は、データ本体２Ｂと、データヘッダ２Ａとにより構成される。データヘッダ２Ａは、番組データ２Ｃ、項目データ２Ｄ、日付けデータ２Ｅ、及び、その他のデータ２Ｆから構成される。
【００４３】
番組データ２Ｃは、情報２が、どの番組に付随する情報かを示すデータである。例えば、情報２が「今日のお料理」という番組に関する情報であるとすると、その番組の番組ＩＤを示すデータがここにある。
【００４４】
項目データ２Ｄは、情報２が、その番組において提供される情報のうち、どの種類の情報かを示すデータである。例えば、図４の例で言えば、「今日のお料理」という番組が提供する情報の種類が「レシピ」、「出演者紹介」、「料理の背景」とあるが、この情報２がこれらのうちのどの情報かを特定するためのデータがここにあり、「レシピ」であればそれに対応するコードがここにある。
【００４５】
日付けデータ２Ｅは、情報２が提供される番組の放送時を示すデータである。但し、この日付データ２Ｅは、番組を特定できれば足り、放送時でなくとも、何回目の放送といったデータであってもよい。
【００４６】
このようなデータ形式で送信されるデータから、目的の情報を取り出して印刷するためには、データヘッダ２Ａをみて、目的の情報と一致する番組の情報か否かを判断し、一致すれば、そのデータを取り出して印刷データに変換し、印刷部１Ｅで印刷を行うことができる。
【００４７】
特に、目的の情報が、月曜から金曜の決まった時間に放送されている番組の場合は、データヘッダ２Ａで変化するのは日付けデータ２Ｅだけであるので、データ放送で送られてくるデータのデータヘッダ２Ａをみて番組データ２Ｃ及び項目データ２Ｄだけがマッチすれば目的とする情報を取得出来る。
【００４８】
図６は、この情報取得の処理を示したフローチャートである。
【００４９】
受信装置Ａは、上記印刷予約の設定処理で設定された番組の放送時間になると、受信動作を開始し、以下の処理を実行する。
【００５０】
ステップＳ６０１では、受信したデータのデータヘッダを取得する。その後、ステップＳ６０２で、印刷が予約されている情報と比較する。
【００５１】
ステップＳ６０３では、比較の結果、合致していれば、ステップＳ６０４へ進み、合致していない場合には、処理を終了する。
【００５２】
このように、受信装置Ａでは、デジタル放送の番組における所望の情報を、予約して印刷することができるので、番組の放送時間に外出等していても、その情報を得ることができる。また、係る番組を視聴できる場合においても、放送中に印刷操作をしなくてもいいので、番組をゆっくり視聴できるという利点がある。
【００５３】
特に、本実施形態では、番組の録画と同様な手順で印刷の予約ができるので、操作も簡単である。
【００５４】
一方、デジタル放送の番組における各情報の種類によっては、放送局においてその印刷を禁止したい場合も生じ得る。例えば、著作権、肖像権などで保護された情報の印刷を防ぎたい場合もある。そこで、印刷許可又は不許可の情報に関する処理について以下に説明する。
【００５５】
まず、放送局では、送信するデータを以下のように構成する。すなわち、図２を参照して説明したデータ２Ａの中に、図８に示すように、印刷可否を示す領域８Ａを設ける。受信装置Ａでは、この領域８Ａのデータに基づいて印刷の処理の実行・不実行を決める。
【００５６】
図９は、係る印刷処理を示すフローチャートである。印刷の可否を判定する場合は、は図６の処理において、ステップＳ６０４に代えて図９に示す処理が実行される。
【００５７】
ステップＳ９０１では、領域８Ａのデータをチェックして、取得した情報が印刷を許可されたものであるか、禁止されたものであるか、を判定する。
【００５８】
印刷が許可された情報である場合には、ステップＳ９０２へ進み、その情報を印刷する。印刷が許可されていない場合は、そのまま終了する。この場合、印刷が許可されていない情報については、メモリ１Ｃに記録しておき、後で表示できるようにしてもよい。
【００５９】
なお、情報によっては、その一部だけが印刷不許可の場合もあり得る。例えば、図１０のような情報において、１０Ｂの部分については、印刷が許可されており、１０Ａの部分が印刷については許可されていない場合である。
【００６０】
このような場合に対処する手法としては、次の２つのことが考えられる。
【００６１】
まず、放送局側がデータを送信する際に、印刷を許可するデータと、表示のみ許可し印刷を許可しないデータとに分けて送信し、データヘッダにその旨を示す手法が考えられる。
【００６２】
図１１及び図１２は、係る場合のデータ形式を示した図である。
【００６３】
図１１において、１１Ａは、表示のみ許可し印刷を許可しない旨を示す領域である。また、図１２において、１２Ａは、印刷を許可する（もちろん表示も許可される。）旨を示す領域である。この場合、図１１の２Ｂには、図１０の１０Ａの部分が入っており、図１２の２Ｂには、図１０の１０Ｂの部分が入っていることになる。
【００６４】
この場合、図６に示した処理に代えて、以下の処理を実行することができる。図１３は、係る場合の処理を示したフローチャートである。
【００６５】
ステップＳ１３１では、送信されたデータのデータヘッダから、印刷が許可された情報か、許可されていない情報か、を判定する。許可されていない情報の場合は、そのまま終了する。
【００６６】
印刷が許可された情報の場合は、予約した内容と比較し（ステップＳ１３３）、合致すれば印刷し（ステップＳ１３５）、そうでない場合は、終了する。
【００６７】
このようにすると、放送局側で印刷許否を決定することができる。なお、印刷が許可されていない部分の情報については、メモリ１Ｃに記録して、後で表示できるようにしてもよい。
【００６８】
次に、もう一方の手法について説明する。この手法では、データ本体を複数のブロックにわけ、それぞれのブロック内にデータヘッダを設けそのデータヘッダ内に図８で説明したような印刷許否の情報を付加する場合である。
【００６９】
図１０の情報において、そのデータが２つのデータブロックである場合を考える。この場合、送出されるデータは２つあり、それぞれにデータヘッダとデータ本体を持つ。図１４は、その様子を示した図である。つまり、データ本体２Ｂが、ブロック１ヘッダ１４Ａ及びブロック１データ１４Ｂと、ブロック２ヘッダ１４Ｃ及びブロック２データ１４Ｄとの、２つのブロックで構成される。
【００７０】
そして、ブロック１ヘッダ１４Ａとブロック２ヘッダ１４Ｂとのそれぞれに印刷許否の情報を持たせる。つまり、１４Ｆには印刷不許可である旨が示され、１４Ｇでは印刷許可である旨が示され、ブロック１のデータは印刷をすることは許されず、ブロック２のデータは印刷が可能であることが示される。
【００７１】
図１５は、このようなデータ形式の場合の印刷処理を示したフローチャートである。
【００７２】
受信装置Ａは、目的とする情報のデータを受信した場合、まず、ステップＳ１５１で、データ本体２Ｂに含まれるブロックヘッダの解釈を行う。
【００７３】
ここでは、ブロックヘッダ（１４Ａ、１４Ｃ）を見つけ、印刷許可・不許可のＥＯＢのデータを見つける。
【００７４】
次に、ステップＳ１５２で、ＥＯＢがあるかどうかを判断する（被印字データ群のブロックの最後を示すＥＯＢをブロックヘッダに持つブロック（これには、データを持たない）がデータ群の最後を示すとする。）。
【００７５】
ここで、ＥＯＢが来た時には、データ群の最後のブロックなので印字処理を終了する。ステップＳ１５２で解釈したブロックヘッダにＥＯＢがない時には、印刷判断処理ステップＳ１５３に進む。印刷許可となっていれば、ぞれ以降のデータは印刷可能なので、ステップＳ１５４に進み、印刷処理を行う。そして、その後、次のブロックの印刷をすべく、ヘッダを探す。
【００７６】
ステップＳ１５３で、印刷許可されていないブロックが来たと判断された場合には、印刷を実行せずに、次のブロックのヘッダ解釈をすべくステップＳ１５１に処理は戻る。なお、印刷が許可されていない部分の情報については、メモリ１Ｃに記録して、後で表示できるようにしてもよい。
【００７７】
次に、用紙切れ、インク切れ等により、印刷部１Ｅが印刷をできなくなった場合（異常状態という。）に、取得した情報を自動的に記憶する受信装置Ｂについて説明する。
【００７８】
図１６は、受信装置Ｂのブロック図である。受信装置Ｂは、受信装置Ａの構成に、ＨＤＤ等の記憶装置１６Ａを追加したものである。
【００７９】
図１７は、受信装置Ｂにより実行される、印刷部１Ｅが異常状態に陥った場合の処理を示すフローチャートである。
【００８０】
ステップＳ１７３では、印刷部１Ｅの状態をチェックする。ステップＳ１７２では、印刷部１Ｅが異常状態か否かを判定し、異常状態でないと判定した場合には、通常通りステップＳ１７３で印刷処理を行う。
【００８１】
異常状態であると判定した場合には、ステップＳ１７４へすすみ、取得した情報を記憶装置１６Ａに保存する。その後、終了する。
【００８２】
なお、印刷部１Ｅの状態を常にチェックし、印刷処理中に、異常が発見された場合には（その場合割り込みが発生する様に構成する。）、印刷を中止すると共に、取得した情報を保存するようにしてもよい。この場合は、それまで印刷した情報も保存するのが望ましいので、図１８のフローチャートに示す様に、印刷処理を実行する前に、取得した情報を一旦メモリ１Ｃに蓄えておき（ステップＳ１８１）、その後、印刷処理（ステップＳ１８２）を行うこともできる。
【００８３】
そして、印刷処理（Ｓ１８２）の途中で、印刷部１Ｅに異常が発生した場合には、図１９のフローチャートに示す割り込み処理を実行する。割り込み処理では、まず、メモリ１Ｃに蓄えておいた情報を記憶装置１６Ａに保存し（ステップＳ１９１）、その後、印刷中止処理１９Ｂを行い（ステップＳ１９２）、この割り込み処理を抜ける。
【００８４】
このようにすることで、印刷処理中に発生した、印刷部１Ｅの異常の際にも、配信された情報を無事に記憶装置１６Ａに保存することが可能になる。
【００８５】
次に、放送時の画面から、その情報の印刷を実行した場合等に、同じ番組の次回以降の放送時に自動的に情報の印刷を実行するシステムについて説明する。要するに、過去に一度印刷処理をした番組の情報について、次回放送時又はその次の放送等に自動的に印刷がされるように予約するシステムである。但し、過去に印刷処理を行わずに、単に視聴しただけの場合であっても、次回以降の放送時に自動的に印刷がされるように予約してもよいことはいうまでもない。なお、次回以降の放送時とは、次回以降のいずれかの放送時のみであってもよいし、その後の番組放送時の全てについて行ってもよいという意味である。
【００８６】
このシステムは、上述した受信装置Ａ又は受信装置Ｂにおいて実行するようにもできるが、専用機として独立して構成してもよい。以下、受信装置Ａ上で実行する場合について説明する。
【００８７】
図２０は、入力部１Ｆである、リモコンのキーの配列を示した図である。
【００８８】
２０Ａは印刷起動キーであり、これが印刷処理のトリガとなる。
【００８９】
２０Ｂ及び２０Ｃは、受信装置Ａによる操作者への質問に対しての応答用のキーで、２０Ｂは「はい」で肯定の応答、２０Ｃは「いいえ」で否定の応答のためのキーとする。
【００９０】
図２１は、情報の印刷の次回予約を行う処理を示したフローチャートである。受信装置Ａは、番組を受信し、それを表示している状態にある。
【００９１】
ステップＳ２１１では、キー入力をリモコン１Ｆから待つ。キー入力かあった後、そのキーが印刷起動キー２０Ａの入力かどうかを判断する。印刷起動キー２０Ａでないと判定した場合は、その他の処理に進む（ステップＳ２２７）。
【００９２】
印刷起動キー２０Ａが押されたと判定した時は、まず、次回放送時のための印刷予約をするかどうかのメッセージを表示する（ステップＳ２２３）。その後、操作者からの応答を待つ。ここで「はい」である２０Ｂが押された時には、ステップＳ２２６へ進み、そうでない場合は終了する。
【００９３】
ステップＳ２２６では、目的とする情報の、図２でいうところの、番組データ２Ｃと項目データ２Ｄとを、メモリ１Ｃに保存し、終了する。
【００９４】
以上により、次回放送時に受信装置Ａは、自動的に起動して番組を受信し、メモリ１Ｃに保存した番組データと項目データとに合致する情報を取得する。
【００９５】
以上、本発明の好適な実施形態について説明したが、上述した印刷の予約がされている場合は、表示部１Ｄにそれと分かる様な表示をしたり、もしくは、当該装置にＬＥＤなどを設けて表示することで、操作者が印刷予約状態を把握できるようにしてもよい。
【００９６】
また、印刷の予約がされたときに、印刷部１Ｅの状態をチェックし、印刷部１Ｅの準備が整っていない場合には、その旨を表示するようにすることもできる。この場合、操作者は、印刷の準備を行うことができるので、印刷ミス等を防止することができる。
【００９７】
また、上記実施形態では、放送局２０１から番組を放送するのは、電波を経由するとしたが、インターネットを経由する等の光ケーブルその他の信号伝達手段でも構わない。
【００９８】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００９９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１００】
【発明の効果】
以上説明したとおり、本発明によれば、デジタル放送の番組において提供される情報の印刷を、その放送時に直接指示しなくとも行うことができる。また、情報の一部の印刷が許可されていない場合、これが印刷されることを抑制することができる。
【図面の簡単な説明】
【図１】本発明の一実施形態に係るデジタル放送の受信装置Ａのブロック図である。
【図２】データ放送において送信されるデータのデータ形式を示した図である。
【図３】デジタル放送の映像の表示例を示した図である。
【図４】データ放送の画面の表示例である。
【図５】データ放送の画面の表示例である。
【図６】情報取得の処理を示したフローチャートである。
【図７】番組予約画面の表示例を示した図である。
【図８】データ放送において送信されるデータのデータ形式を示した図である。
【図９】印刷処理を示すフローチャートである。
【図１０】部分的に印刷不可である情報の表示例である。
【図１１】データ放送において送信されるデータのデータ形式を示した図である。
【図１２】データ放送において送信されるデータのデータ形式を示した図である。
【図１３】印刷処理を示すフローチャートである。
【図１４】データ放送において送信されるデータのデータ形式を示した図である。
【図１５】印刷処理を示すフローチャートである。
【図１６】本発明の他の実施形態に係るデジタル放送の受信装置Ｂのブロック図である。
【図１７】印刷部１Ｅが異常状態に陥った場合の処理を示すフローチャートである。
【図１８】印刷中に印刷部１Ｅが異常状態に陥った場合に対応した処理を示すフローチャートである。
【図１９】印刷部１Ｅが異常状態に陥った場合の割り込み処理を示すフローチャートである。
【図２０】入力部１Ｆの構成例を示した図である。
【図２１】情報の印刷の次回予約を行う処理を示したフローチャートである。
【図１】
0003848036.tif 000002
【図２】
0003848036.tif 000003
【図３】
0003848036.tif 000004
【図４】
0003848036.tif 000005
【図５】
0003848036.tif 000006
【図６】
0003848036.tif 000007
【図７】
0003848036.tif 000008
【図８】
0003848036.tif 000009
【図９】
0003848036.tif 000010
【図１０】
0003848036.tif 000011
【図１１】
0003848036.tif 000012
【図１２】
0003848036.tif 000013
【図１３】
0003848036.tif 000014
【図１４】
0003848036.tif 000015
【図１５】
0003848036.tif 000016
【図１６】
0003848036.tif 000017
【図１７】
0003848036.tif 000018
【図１８】
0003848036.tif 000019
【図１９】
0003848036.tif 000020
【図２０】
0003848036.tif 000021
【図２１】
0003848036.tif 000022